(57)【特許請求の範囲】
【請求項１】
高さの異なる複数の段床を備え、収納時には前記複数の段床が上下方向に重なり、使用時には前記複数の段床が階段状に展開されて観覧席を構成する階段式移動観覧席であって、
前記使用時において、上下方向に並ぶ２つの前記段床が所定距離以下に接近した状態を維持する接近状態維持部と、
前記２つの段床の間に配置され、前記２つの段床が前記所定距離以下であるときに、前記２つの段床に対してそれぞれが離間する方向に付勢する当接部と、を備える
ことを特徴とする階段式移動観覧席。
【請求項２】
前記接近状態維持部は、
前記２つの段床のうち、一方の前記段床に設けられる第１係合部と、他方の前記段床に設けられ、前記第１係合部と係合可能に構成された第２係合部と、からなり、
前記使用時において、前記第１係合部と前記第２係合部とが係合することにより、前記一方の段床と前記他方の段床とが前記所定距離以下に接近した状態が維持される係合状態と、前記第１係合部と前記第２係合部との係合が解除された解除状態と、のいずれかに遷移可能に構成されている
ことを特徴とする請求項１に記載の階段式移動観覧席。
【請求項３】
前記第１係合部は、前記一方の段床に対して固定された第１回転軸を中心として回転可能に設けられたハンドルレバーと、前記ハンドルレバーにおける前記第１回転軸とは異なる位置に設けられた第２回転軸を中心として回転可能に前記ハンドルレバーに設けられたフックと、を備え、
前記第２係合部は、前記他方の段床に配置され、前記フックと係合可能に構成されたフック受けを備え、
前記係合状態とは、前記フックを前記フック受けに引っ掛けた状態で前記ハンドルレバーを所定のロック位置に回動させることで、前記引っ掛けた状態の解除が不能となった状態であり、
前記解除状態とは、前記ハンドルレバーが前記ロック位置以外の回転位置にある状態、および、前記フックを前記フック受けに引っ掛けていない状態で前記ハンドルレバーが前記ロック位置にある状態である
ことを特徴とする請求項２に記載の階段式移動観覧席。
【請求項４】
前記接近状態維持部が前記係合状態であるか否かを検出する検出手段を備える
ことを特徴とする請求項２または請求項３に記載の階段式移動観覧席。
【発明の詳細な説明】
【技術分野】
【０００１】
本発明は、階段式移動観覧席の振動抑制に関する。
【背景技術】
【０００２】
従来、前方へ引き出して階段状に展開できるとともに後方へ移動させながら上下に重合させてそれぞれ収納できる多くの段床からなる階段式移動観覧席が利用されている。このような階段式移動観覧席において、段床の後部は下端に車輪を備える支柱によって支持され、段床の前部は、展開時においては、直下の段床の後部から上方向に突出するように設けられるサポートローラーなどに当接し支持されるよう設計されているが、車輪が接触する床の不陸（凹凸）に影響され階段式移動観覧席全体に歪みが発生し、段床の前部とサポートローラーの上下間に隙間が発生する場合があった。
【０００３】
上述したように隙間が発生してしまうと、階段式移動観覧席に設けられた階段通路などを歩行するときに段床に大きな振動が発生し、着席者に不快感が及ぶ問題が指摘されていた。また、隙間ができた段床の前部とサポートローラーが振動によりぶつかることで振動音も増大し、着席者の不快感が増す一因にもなっていた。
【０００４】
そこで、上方の段床の下面側に対するサポートローラーの当接が促進されるよう、例えば特許第３１２７２７９号公報の図１１などに見られるように、上方の段床の下面にサポートローラー（支持ローラ７）が当接する受金具１３を形成する構成が提案されている。この受金具１３によって上方の段床がサポートローラーによって押し上げられることとなり、サポートローラーと上方の段床とが当接しやすくなる。
【先行技術文献】
【特許文献】
【０００５】
【特許文献１】特許第３１２７２７９号
【発明の概要】
【発明が解決しようとする課題】
【０００６】
しかしながら、床の不陸は箇所により上方向下方向まちまちであるため、床の不陸による段床の歪みは、段床ごとに上方向下方向まちまちとなる。上記特許文献１に記載の技術では、上方の段床と下方の段床とが大きく接近するようにそれらの段床が歪んだ場合、下方の段床を前方に展開させるときに、サポートローラーを案内するために上方の段床の受金具１３の下面に形成された傾斜下面１３ｂとサポートローラーとの抵抗が大きくなってしまい、適切な位置まで下方の段床を展開させることが困難になる場合が発生する。
【０００７】
一方、上方の段床と下方の段床とが大きく離間するようにそれらの段床が歪んだ場合、上方の段床の受金具１３と下方の段床のサポートローラーが当接しない場合があり、振動を抑制する効果の確実性を欠いていた。
【０００８】
本発明は、上述した問題に鑑みてなされたものであり、その目的は、段床の振動を低減できる階段式移動観覧席を提供することにある。
【課題を解決するための手段】
【０００９】
上述した問題を解決するためになされた請求項１に記載の発明は、高さの異なる複数の段床を備え、収納時には前記複数の段床が上下方向に重なり、使用時には前記複数の段床が階段状に展開されて観覧席を構成する階段式移動観覧席であって、使用時において、上下方向に並ぶ２つの段床が所定距離以下に接近した状態を維持する接近状態維持部を有している。また、２つの段床の間には、２つの段床が所定距離以下であるときに、２つの段床に対してそれぞれが離間する方向に付勢する当接部を備えている。所定距離とは、当接部が上下２つの段床が離間する方向に付勢可能となる距離である。
【００１０】
接近状態維持部が、上下の段床が所定の距離以下に接近した状態を維持しているため、展開時（即ち使用時）に、床の不陸に影響され、段床と当接部との間に上下方向の隙間が発生することを抑制できる。
【００１１】
このように構成された階段式移動観覧席では、接近状態維持部が上下の段床が所定の距離以下に接近した状態を維持している状態において、当接部が２つの段床をそれぞれが離間する方向に付勢している。即ち、上記の状態においては、上下の段床は、当接部および接近状態維持部を介して強く接触した状態となる。
【００１２】
その結果、階段通路の歩行などによって段床に荷重が加えられても、その荷重が加えられた段床が他方の段床と強く接触していることによって振動の発生が抑制される。それにより、段床の振動によって着席者に与える不快感を低減でき、また段床と当接部が振動でぶつかり合うことによる不快な音の発生を低減できる。
【００１３】
上述した接近状態維持部は、上下方向に並ぶ２つの段床を所定距離以下に接近した状態を維持できれば様々な構成をとることができる。例えば、請求項２に記載の接近状態維持部のように、２つの段床のうち、一方の段床に設けられる第１係合部と、他方の段床に設けられ、第１係合部と係合可能に構成された第２係合部と、からなり、使用時において、第１係合部と第２係合部とが係合することにより、一方の段床と他方の段床とが所定距離以下に接近した状態が維持される係合状態と、第１係合部と第２係合部との係合が解除された解除状態と、のいずれかに遷移可能に構成されていてもよい。
【００１４】
このように構成された階段式移動観覧席では、２つの係合部を係合状態とすることによって当接部を介して確実に２つの段床を接触させることができる。また、２つの係合部は段床を階段状に展開した使用時において係合状態とすればよいので、複数の段床を展開するときや収納するときには各係合部を操作する必要がないことから、各係合部による支障なく収納と展開ができる階段式移動観覧席を提供できる。
【００１５】
さらには、第１係合部は、一方の段床に対して固定された第１回転軸を中心として回転可能に設けられたハンドルレバーと、ハンドルレバーにおける第１回転軸とは異なる位置に設けられた第２回転軸を中心として回転可能にハンドルレバーに設けられたフックとを備えるように構成されていても良い。その場合には、第２係合部は、他方の段床に配置され、フックと係合可能に構成されたフック受けを備えるように構成すると良い。
【００１６】
上記構成において、係合状態とは、フックをフック受けに引っ掛けた状態でハンドルレバーを所定のロック位置に回動させることで、引っ掛けた状態の解除が不能となった状態であり、解除状態とは、ハンドルレバーがロック位置以外の回転位置にある状態、および、フックをフック受けに引っ掛けていない状態でハンドルレバーがロック位置にある状態である。
【００１７】
このように構成された階段式移動観覧席では、フックとハンドルレバーという比較的安価な部品にもかかわらず、てこの原理により、上下方向に並ぶ２つの段床を所定距離以下に接近した状態を維持するための大きな力を得ることが可能で、より確実に２つの段床を当接部に当接させることができ、段床を歩行することなどによって大きな荷重が段床に加えられても、段床に振動が発生することを低減できる。
【００１８】
なお、上述した接近状態維持部は、係合状態であるか否かを検出する検出手段を備えていても良い。そのような階段式移動観覧席は、検出手段によって係合状態であるという情報を容易に取得することができるため、係合部が係合したまま移動収納を行ってしまうことを防止でき、より安全な階段式移動観覧席を提供できる。
【図面の簡単な説明】
【００１９】
【図１】実施例の階段式移動観覧席を示す側面図
【図２】実施例の階段式移動観覧席を示す平面図（Ａ）、正面図（Ｂ）
【図３】座体および背体周辺を拡大した側面図（Ａ）、正面図（Ｂ）
【図４】接近状態維持部の周辺を拡大した側面図（Ａ）、正面図（Ｂ）
【図５】接近状態維持部の動作を説明する側面図（Ａ），（Ｂ）
【図６】当接部の周辺を拡大した側面図（Ａ）、背面図（Ｂ）
【図７】接近状態維持部の変形例を示す側面図（Ａ）、背面図（Ｂ）
【発明を実施するための最良の形態】
【００２０】
以下に本発明の実施形態を図面と共に説明する。ただし、以下に説明する実施形態は、あくまでも例示にすぎず、本発明が、下記の事例以外にも様々な形態で実施できるのはもちろんである。
【実施例】
【００２１】
（１）全体構成
図１に、本実施例の階段式移動観覧席１の側面図を示す。図２（Ａ）に階段式移動観覧席１の平面図を示し、図２（Ｂ）に階段式移動観覧席１の正面図を示す。また図３（Ａ）に座体８２および背体８１周辺を拡大した側面図を示し、図３（Ｂ）に正面図を示す。なお、各図においては、見易さの観点から一部の構成要素を省略している場合がある。
【００２２】
図１に示す階段式移動観覧席１は、複数の段床１０を備えるものであって、複数の段床１０を前方へ引き出して階段状に展開でき、それにより図１に示すような形態の観覧席を構成できる一方、段床１０を後方へ移動させながら上下に重合させて収納状態とすることができる。
【００２３】
段床１０は略板状の部材であって、主たる面が床面と略平行となるように配置される。段床１０は、下方に設けられる支持台１０ａと、支持台１０ａの後部上方において横方向（左右方向、図１においては紙面と直交する方向）に延びるライザー１１などから構成される。
【００２４】
また、各段床１０の前方には着席者２が着席可能な座体８２が配備される。さらに、図３（Ａ）に示す座体８２の後部に軸架した支軸８２ａにて折りたたみ自在の背体８１を枢支しており、図１および図３（Ａ）に仮想線で示すように、座体８２上に倒して収納できるように構成している。
【００２５】
図２（Ａ），（Ｂ）に示すように、階段式移動観覧席１には座体８２および背体８１が配置されない階段通路９２が前後方向に設けられている。段床１０にはこの階段通路９２の部分にステップ９０が設けられている。このステップ９０により段床１０間の段差が小さくなるので階段通路９２を歩行者が移動しやすくなる。
【００２６】
説明を図１に戻る。各支持台１０ａの後部より下方に垂設した支柱１２の下端部には、複数の車輪１４を内装軸架した前後方向水平の車輪支持枠１６が固設される。各段床１０の下方で走行部となる各車輪支持枠１６は、階段式移動観覧席１を展開した際により前方側に位置する段床１０の車輪支持枠１６ほど内側方に位置ずれして接近するように配備される。なお、各支柱１２の長さは、その支柱１２が支える段床１０の高さに応じて定まるものであり、より前方に位置する段床１０ほど支柱１２は短くなる。
【００２７】
図４（Ａ），（Ｂ）に、展開時（使用時）における接近状態維持部２０周辺の拡大図を示す。図４（Ａ）が側面図、図４（Ｂ）が正面図である。接近状態維持部２０は、段床１０の前方端部と、その段床１０の下部に位置する段床１０の後方端部と、の間に設けられている。なお、以降の説明において、上下方向に並ぶ２つの段床のうち、上側に位置する段床を上部段床、下側に位置する段床を下部段床と記載する。
【００２８】
接近状態維持部２０は、上部段床１０の前面下部に設けられるフック受け金具２２と、下部段床１０のライザー１１に設けられるリヤパネル２４と、リヤパネル２４の上部に設けられるクランプ３０と、を有している。
【００２９】
クランプ３０は、リヤパネル２４に取り付けられ第１回転軸２６ａが設けられる取付けプレート２７と、第１回転軸２６ａにより回転可能に軸支されるハンドルレバー２６と、ハンドルレバー２６における第１回転軸２６ａとは異なる位置に設けられた第２回転軸２６ｂを中心として回転可能に軸支されるフック金具２８と、を有している。
【００３０】
フック金具２８は、図５（Ａ）に示すように、第１回転軸２６ａを中心にハンドルレバー２６を上方に回転させた状態において、フック受け金具２２の受け部２２ａに引っ掛けることができるようになる。フック金具２８をフック受け金具２２の受け部２２ａに引っ掛けた状態でハンドルレバー２６を図４（Ａ）に示すロック位置に回動させると、上部段床１０と下部段床１０とが互いに引きつけられるように作用する。
【００３１】
なお、クランプ３０とフック受け金具２２とによりトグル機構が構成されるため、上述した引きつけ力はてこの原理を利用した強い力となる。
また、上述ようにハンドルレバー２６をロック位置に回動した状態からハンドルレバー２６を回転させて、例えば図５（Ａ）に示す位置に回転させることにより、フック金具２８とフック受け金具２２との引っ掛かりが解除され、それにより上述した引きつけの作用は解除される。もちろん図５（Ａ）の位置は一例を示すものであって、ロック位置以外であれば上述した作用が解除される。
【００３２】
フック金具２８とフック受け金具２２との引っ掛かっていない状態において、フック金具２８は、図５（Ｂ）に示すようにハンドルレバー２６と共に自重により垂下した状態となる。従って、段床１０を後方へ移動させて収納する場合、あるいは段床１０を前方へ移動させて展開する場合において、ハンドルレバー２６やフック金具２８が段床１０の移動を阻害することがないため、収納および展開の障害になることがない。また、フック金具２８とフック受け金具２２とを引っ掛ける操作は展開された状態にて行うものであり、展開されるまでは互いに関与せず段床１０の移動に影響を与えないので、その点においても収納および展開の障害になることがない。
【００３３】
また、フック受け金具２２の受け部２２ａには、フック金具２８が係合しているか否かを検出する検出手段として接触式センサー９４が設置されている。
図６（Ａ），（Ｂ）は、図４（Ａ），（Ｂ）と同様に展開時（使用時）における上部段床１０の前方端部とその下部段床１０の後方端部周辺の拡大図を示しているが、図４（Ａ），（Ｂ）に示したフック受け金具２２やフック金具２８の取付け位置より横方向にずれた位置に設けられた当接部４０周辺を示している。図６（Ａ）が側面図、図６（Ｂ）が背面図である。
【００３４】
当接部４０は、ライザー１１の背面においてライザー１１より高くなるように垂立固設される中空状のサポート４２と、サポート４２の上端部に設けられるサポートローラー４４と、サポート４２に軸支され、２つの調節ネジ４７によってサポートローラー４４のサポート４２に対する高さを微調整可能なように構成されたサポートローラー金具４６からなる。
【００３５】
また、上部段床１０の支持台１０ａの下面には、階段式移動観覧席１の展開状態においてサポートローラー４４が当接できる水平下面１０ｂが下方向に突出するように形設されており、水平下面１０ｂの後部は支持台１０ａの下面と接続する傾斜面１０ｃを形設して構成されている。
【００３６】
ところで、下部段床１０を基準としたサポートローラー４４上端の高さは、階段式移動観覧席１の展開時に、上述した接近状態維持部２０のクランプ３０のフック金具２８をフック受け金具２２に引っ掛けてハンドルレバー２６をロック位置に回動させた状態（即ち図４（Ａ）に示す状態）において、サポートローラー４４が水平下面１０ｂと十分に接触する高さとなるように構成されている。
【００３７】
上述したように、クランプ３０による引きつけ力はてこの原理を利用した強い力となっており、当接部４０は上述した引き付け力や上部段床１０からの荷重などの反力を付勢力として上部段床１０と下部段床１０とを離間する方向に付勢する。その結果、上部段床１０と下部段床１０とは接近状態維持部２０および当接部４０を介して強く接触することとなる。
【００３８】
なお、フック金具２８をフック受け金具２２に引っ掛けてハンドルレバー２６をロック位置に回動させた状態が、上部段床１０と下部段床１０とを所定距離以下に接近した状態が維持される本発明における係合状態となる。
【００３９】
また、ハンドルレバー２６がロック位置以外にある状態と、ロック位置にあってもフック金具２８とフック受け金具２２との引っ掛かっていない状態が本発明における解除状態となる。
（２）発明の効果
本実施例の階段式移動観覧席１は、フック金具２８がフック受け金具２２に引っ掛かった状態でハンドルレバー２６をロック位置に回転させた状態（係合状態）で、上部段床１０と下部段床１０とを所定距離以下に接近した状態に維持するため、下部段床１０に固設されたサポート４２により、下部段床１０から所定高さに設定されたサポートローラー４４が、上部段床１０の下面と当接し、上部段床１０と下部段床１０を離間する方向に付勢する。
【００４０】
従って、展開時に、床の不陸に影響され、段床１０とサポートローラー４４の上下間に隙間が発生しても、段床１０とサポートローラー４４を確実に当接させることが可能になるため、階段通路９２などの歩行者によって段床１０に大きな振動が発生することを低減できる。
【００４１】
さらに、接近状態維持部２０による引き付け作用がない場合、段床１０とサポートローラー４４が当接している場合でも、段床１０が振動すると段床１０とサポートローラー４４とが離脱、接触を繰り返して振動音を発生してしまうが、接近状態維持部２０による引き付け作用によって上部段床１０と下部段床１０とを所定距離以下に接近した状態を維持しつつ、サポートローラー４４が２つの段床をそれぞれが離間する方向に付勢しているため、段床１０とサポートローラー４４が振動でぶつかり合うことによる不快な音の発生を低減できる。
【００４２】
また、クランプ３０はフック金具２８やハンドルレバー２６といった比較的安価な部品にもかかわらず、てこの原理により、上下方向に並ぶ２つの段床１０を所定距離以下に接近した状態を維持するための大きな力を得ることが可能で、より確実に２つの段床１０をサポートローラー４４に当接させることができ、歩行者による大きな振動でも衝撃音が発生することを低減できる。
【００４３】
また、フック金具２８とフック受け金具２２が係合状態であるか否かを検出する接触式センサー９４により、フック金具２８とフック受け金具２２が係合したまま移動収納を行ってしまうことを防止でき、より安全な階段式移動観覧席１を提供できる。
（３）変形例
以上、本発明の実施例について説明したが、本発明は、上記実施例に何ら限定されることはなく、本発明の技術的範囲に属する限り種々の形態をとり得ることはいうまでもない。
【００４４】
例えば、本発明においては、上下段床１０の間に配される接近状態維持部２０および当接部４０の数は適宜設定可能であるが、段床１０の振動は段床１０の横方向の長さに比して大きくなると考えられるため、好ましくは段床１０の横方向の長さが長いほど、接近状態維持部２０および当接部４０の数を増やすほうが良い。
【００４５】
また、接近状態維持部２０および当接部４０の位置も適宜設定可能であるが、段床１０の発生源が主に展開状態の観覧席を前後方向に通る階段通路９２の歩行者であると考えられることから、好ましくは階段通路９２と座体８２（背体８１）の境界付近に配置されるほうが良い。
【００４６】
また、上記実施例においては、接近状態維持部２０として、フック金具２８がフック受け金具２２と係脱するための上下動を、ハンドルレバー２６を使用した手動のトグル機構を有するクランプ３０により実現する構成を例示したが、その他の構成によって実現してもよい。例えば、エアシリンダや電気シリンダでフック金具を動作させても良いし、背体８１の支軸８２ａを中心とした立ち上げ，折りたたみの動作に連動して動作させてもよい。
【００４７】
エアシリンダや電気シリンダを用いる場合、図７（Ａ），（Ｂ）に示すように、フック受け金具１２２の受け部１２２ａが後方を向くように設けられており、リヤパネル２４の後部に、シリンダロッド先端にフック金具１２８を固定したエアシリンダもしくは電気シリンダなどのシリンダ装置１０１を取付プレート１２７を用いて配置する構成とすることが考えられる。シリンダ装置１０１によってフック金具１２８を下方に動作させフック受け金具１２２と係合した状態が本発明における係合状態に相当する。
【００４８】
そのような構成であれば、フック金具１２８をシリンダ装置１０１により上方に移動させてフック受け金具１２２から係脱させるだけで、階段式移動観覧席の移動収納の障害にならない（下部段床１０が上部段床１０に対して相対的に後方に移動する際の障害にならない）ため都合がよい。また、前方から見た外観もよい。
【００４９】
また、背体８１の立ち上げ，折りたたみの動作にフック金具の動作を連動させる場合、例えば、背体８１を立ち上げたとき、即ち観覧席を使用するときに、フック金具とフック受け金具とが係合するようにフック金具が動作し、背体８１を折りたたんだときに係合が解除されるようにフック金具を動作させることが考えられる。フック金具の動作は、背体８１の動作に応じて作動するワイヤーやリンク機構などを用いて実現することができる。
【００５０】
また、背体８１の立ち上げ，折りたたみの動作を、上述した図７（Ａ），（Ｂ）に示すシリンダ装置１０１を動作させるためのスイッチとして用いてもよい。
また、上記実施例においては、当接部４０が下部段床１０から上方に向けて配置される構成を例示したが、上部段床１０から下方に向けて配置される構成であってもよい。
【００５１】
また、上記実施例においては、フック受け金具２２が上部段床１０に設けられ、クランプ３０が下部段床１０に設けられる構成を例示したが、フック受け金具２２が下部段床１０に設けられ、クランプ３０が上部段床１０に設けられる構成であってもよい。
【００５２】
また、上記階段式移動観覧席１において、接触式センサー９４による出力方法は特に限定されず様々なものが考えられる。例えば、接触式センサー９４ごとに係合状態を検出しているか否かをランプで表示する構成や、階段式移動観覧席１が備える複数の接近状態維持部２０それぞれに対応する複数の接触式センサー９４が全て係合状態を検出している場合、あるいは全て検出していない場合にランプを点灯させる構成とすることが考えられる。
【００５３】
また、上記階段式移動観覧席１において、段床１０の展開および収納のための移動は手動で行う構成であってもよいが、電力やエアー圧を利用する移動装置によって自動で移動するように構成してもよい。その場合には、接触式センサー９４によって係合状態が検出されている場合には移動装置が移動を実行しないように構成するとよい。
【符号の説明】
【００５４】
１…階段式移動観覧席、２…着席者、１０…段床、１０ａ…支持台、１０ｂ…水平下面、１０ｃ…傾斜面、１１…ライザー、１２…支柱、１４…車輪、１６…車輪支持枠、２０…接近状態維持部、２２…フック受け金具、２２ａ…受け部、２４…リヤパネル、２６…ハンドルレバー、２６ａ…第１回転軸、２６ｂ…第２回転軸、２７…取付けプレート、２８…フック金具、３０…クランプ、４０…当接部、４２…サポート、４４…サポートローラー、４６…サポートローラー金具、４７…調節ネジ、８１…背体、８２…座体、８２ａ…支軸、９０…ステップ、９２…階段通路、９４…接触式センサー、１０１…シリンダ装置、１２２…フック受け金具、１２２ａ…受け部、１２７…取付プレート、１２８…フック金具
【図１】
0005554186.tif 000002
【図２】
0005554186.tif 000003
【図３】
0005554186.tif 000004
【図４】
0005554186.tif 000005
【図５】
0005554186.tif 000006
【図６】
0005554186.tif 000007
【図７】
0005554186.tif 000008